Podtech/llm-jp-corpus-v4-ja_patent huggingface dataset:
【手続補正書】
【提出日】平成15年4月2日(2003.4.2)
【手続補正１】
【補正対象書類名】明細書
【補正対象項目名】００３２
【補正方法】変更
【補正の内容】
【００３２】
図３Ａを参照すると、追加の高速回復ダイオード１５０を有する調整回路の代替実施形態が示されている。ダイオード１５０は、通常、ダイオード１４６の電圧定格と同じ電圧定格を有している。本質において、ダイオード１５０の追加によりフル・ブリッジの整流装置が形成される。この整流装置は、以下に記述するように、別の利点を提供する。ＩＧＢＴデバイス１４２，１４４はまた、通常、ＩＧＢＴデバイスと共に一緒にパッケージされるダイオード１４２Ａ，１４４Ａを有するように示されている。図１のＭＯＳＦＥＴ構成においては、そのようなダイオードは、一般的には、内蔵ドレイン・ソース間ダイオード（ｉｎｔｒｉｎｓｉｃ  ｄｒａｉｎ−ｔｏ−ｓｏｕｒｃｅ  ｄｉｏｄｅ）の形態にある。


【手続補正２】
【補正対象書類名】明細書
【補正対象項目名】００３３
【補正方法】変更
【補正の内容】
【００３３】
動作においては、ＩＧＢＴデバイス１４４に接続された界磁コイル１０２の端部が、ＩＧＢＴデバイス１４２に接続された界磁コイルの端部に対して正である場合、一緒にパッケージされたダイオード１４４Ａ，１４２Ａは、界磁コイルを介して導通し、最初の半周期の間にコンデンサ１１６を充電する。界磁コイル１０２の極性が逆の半周期において逆転すると、ダイオード１４６，１５０が導通する。従って、ＡＣ電流が界磁コイル１０２に誘導されると、あたかも、変圧器１０６の二次巻線１１２がコンデンサ１１６の中にブリッジ整流されているかのように、単極性のＤＣがコンデンサ１１６において生成される。即ち、界磁コイル１０２は、変圧器１０６に代わって、コンデンサ充電源として動作する。
【手続補正書】
【提出日】平成16年5月25日(2004.5.25)
【手続補正１】
【補正対象書類名】特許請求の範囲
【補正対象項目名】請求項１
【補正方法】変更
【補正の内容】
【請求項１】
ａ）ポンプがダイを通して流体を送液し得るように配置された、ポンプ及びダイを有するレオメーターを用意すること、
ｂ）該レオメーターに流体を供給すること、
ｃ）一つの速度でポンプにより、ダイ内での流体のせん断応力を示す一つ又は複数の値を得て、一組のデータを得ること、及び
ｄ）該データの組を、既知のレオロジー特性を持つ流体に対応する予め取得されたデータと直接に比較すること
の段階を含む、流体の性質を調査する方法。
【手続補正２】
【補正対象書類名】特許請求の範囲
【補正対象項目名】請求項１２
【補正方法】変更
【補正の内容】
【請求項１２】
ａ）ポンプがダイを通して流体を送液し得るように配置された、ポンプ及びダイを有するレオメーター、
ｂ）該レオメーターに該流体を供給するための手段、
ｃ）ダイ内での流体のせん断応力を示す一つ又は複数の値を得て、一組のデータを得るための手段、及び
ｄ）該データの組を、既知のレオロジー特性を持つ流体に対応する予め得られたデータと直接に比較するための手段
を含む、流体の性質を調査するための装置。
【手続補正３】
【補正対象書類名】特許請求の範囲
【補正対象項目名】請求項１６
【補正方法】変更
【補正の内容】
【請求項１６】
重合プロセスにおいて生成物の第一の規格から生成物の第二の規格への移行を監視する方法において、該プロセスからのポリマーが、該移行の間にレオメーターに繰り返し又は連続的に供給され、かつ該レオメーターからのデータが、繰り返し又は連続的に既知のデータと直接に比較されて、該移行が完了するおよそのときを決定するところの方法。
【手続補正４】
【補正対象書類名】特許請求の範囲
【補正対象項目名】請求項２２
【補正方法】変更
【補正の内容】
【請求項２２】
重合プロセスからのポリマーが、生成物の第一の規格から生成物の第二の規格への移行の間に繰り返し又は連続してそれに供給され得るところのレオメーター、及び該レオメーターからのデータを受け取るための処理手段を含む、該プロセスにおいて該移行を監視するための装置であって、該処理手段が、該レオメーターからのデータを既知のデータと繰り返し又は連続的に直接に比較して、該移行が完了するおよそのときを決定するように配置されているところの装置。
【手続補正５】
【補正対象書類名】明細書
【補正対象項目名】００４６
【補正方法】変更
【補正の内容】
【００４６】
この方法が、それ自体において発明性があると信じられ、そしてそれ故、更なる観点から見ると、本発明は、重合プロセスにおいて生成物の第一の規格から第二の規格への移行を監視する方法を提供し、ここで、該プロセスからのポリマーが、該移行の間にレオメーターに繰り返し又は連続的に供給され、かつ該レオメーターからのデータが、該移行が完了するおよそのときを決定するために既知のデータと繰り返し又は連続的に直接に比較される。
【手続補正６】
【補正対象書類名】明細書
【補正対象項目名】００５３
【補正方法】変更
【補正の内容】
【００５３】
本発明はまた、上で第二に述べられた発明を実行するための装置に及び、そしてそれ故、より更なる観点から見れば、本発明は、重合プロセスからのポリマーが、生成物の第一の規格から生成物の第二の規格への移行の間に繰り返し又は連続的に提供され得るところのレオメーター、及び該移行が完了されるおよそのときを決定するために既知のデータと繰り返し又は連続的に直接に比較され得るようなレオメーターからのデータを受け取るための手段を含む重合プロセスにおいて、生成物の第一の規格から生成物の第二の規格への移行を監視するための装置を提供する。
【手続補正書】
【提出日】平成15年3月31日(2003.3.31)
【手続補正１】
【補正対象書類名】明細書
【補正対象項目名】特許請求の範囲
【補正方法】変更
【補正の内容】
【特許請求の範囲】
【請求項１】
ポリマンヌロネート組成物を製造するにあたり、
アルギネートを準備し、
当該アルギネートを加水分解して、４,４００〜４６２,１００の範囲の分子量を有するポリマンヌロネートと、ポリグルロネートとの混合物を調製し、
当該混合物からポリマンヌロネートを単離する
ことを特徴とする、ポリマンヌロネート組成物の製造方法。
【請求項２】
加水分解は、２０分〜３時間の範囲で行なう、請求項１記載の方法。
【請求項３】
ポリマンヌロネートは、７,５００〜１８５,６００の分子量を有する、請求項１記載の方法。
【請求項４】
加水分解には、アルギネートに１種若しくはそれ以上の有機酸を添加し、該有機酸とアルギネートとの混合物を加熱することが含まれる、請求項１記載の方法。
【請求項５】
有機酸は、クエン酸、リンゴ酸、蓚酸、乳酸、コハク酸、酒石酸及び酢酸からなる群より選ばれる、請求項４記載の方法。
【請求項６】
有機酸は、酢酸である、請求項４記載の方法。
【請求項７】
有機酸の濃度は、０．２Ｍ〜０．６Ｍである、請求項４記載の方法。
【請求項８】
ポリマンヌロネートの単離には、混合物のｐＨを調整することが含まれる、請求項１記載の方法。
【請求項９】
混合物のｐＨを２．５〜３．５の範囲に調整する、請求項８記載の方法。
【請求項１０】
ｐＨの調整は、１種若しくはそれ以上の酸を添加することにより行なう、請求項８記載の方法。
【請求項１１】
ポリマンヌロネートの単離には、混合物中に沈殿物を形成させ、ポリマンヌロネートが溶解している、上澄み液を収集することが含まれる、請求項１記載の方法。
【請求項１２】
単離には、更に、収集した上澄み液からポリマンヌロネートを沈殿させることが含まれる、請求項１１記載の方法。
【請求項１３】
請求項１記載の方法により製造した、ポリマンヌロネート組成物。
【請求項１４】
該組成物は、７,５００〜１８５,６００の分子量を有するポリマンヌロネートを含む、請求項１３記載のポリマンヌロネート組成物。
【請求項１５】
分子量が４,４００〜４６２,１００の分子量を有するポリマンヌロネートと、食品とを含む栄養性組成物において、該栄養性組成物は、ポリグルロネートを含み、該ポリグルロネートは、ポリグルロネートとポリマンヌロネートとの全重量の２０重量％以下である、栄養性組成物。
【請求項１６】
ポリマンヌロネートは、０．０１重量％〜１００重量％であることを特徴とする、請求項１５記載の栄養性組成物。
【請求項１７】
食品は、液状または固形状である、請求項１５記載の栄養性組成物。
【請求項１８】
食品は、飲料、マーガリン、ハム及び麺類からなる群より選ばれる、請求項１５記載の栄養性組成物。
【請求項１９】
ポリマンヌロネートは、７,５００〜１８５,６００の分子量を有する、請求項１５記載の栄養性組成物。
【請求項２０】
ポリマンヌロネート及び医薬的担体を含む医薬組成物において、ポリマンヌロネートは、４,４００〜４６２,１００の分子量を有する、医薬組成物。
【請求項２１】
該医薬組成物は、ポリグルロネートを含み、該ポリグルロネートは、ポリグルロネートとポリマンヌロネートとの全重量の２０重量％以下である、医薬組成物。
【請求項２２】
ポリマンヌロネートは、７,５００〜１８５，６００の分子量を有する、請求項２０記載の医薬組成物。
【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】  脂肪族イソシアネート含有化合物と、有機官能基含有非ハロゲン化炭化水素ポリマーと、有機官能基含有ハロゲン化炭化水素ポリマーと、有機溶剤とを含み、前記有機官能基含有ハロゲン化炭化水素ポリマーが、クロロスルホン化ポリエチレン、クロロスルホン化ポリプロピレン、無水マレイン酸で改質した塩素化ポリプロピレン、無水マレイン酸で改質した塩素化ポリエチレン、およびそれらの混合物または反応生成物からなる群より選択されるプライマー組成物。
【請求項２】  脂肪族イソシアネート含有化合物と、有機官能基含有非ハロゲン化炭化水素ポリマーと、有機官能基含有ハロゲン化炭化水素ポリマーと、有機溶剤とを含み、前記有機官能基含有非ハロゲン化炭化水素ポリマーが、無水マレイン酸で改質したスチレン−エチレン／ブチレン−スチレントリブロックコポリマー、無水マレイン酸で改質したエチレン−プロピレンコポリマー、無水マレイン酸で改質したプロピレンポリマー、末端に水酸基を含有するエチレン／ブチレンコポリマー、エチレン酢酸ビニルコポリマー、無水マレイン酸で改質したエチレン酢酸ビニルコポリマー、およびこれらのポリマーの２種類以上の混合物または反応生成物からなる群より選択されるプライマー組成物。
【請求項３】  ２つの基材を互いに接着する方法であって、前記方法が、（ａ）プライマー組成物を第１有機ポリマー基材の表面に設けてプライマー処理表面を得て、ここで前記プライマー組成物が脂肪族イソシアネート含有化合物と、有機官能基含有非ハロゲン化炭化水素ポリマーと、有機官能基含有ハロゲン化炭化水素ポリマーと、有機溶剤とを含む成分を混合することで調製できるものであるステップと、（ｂ）前記プライマー処理表面または第２基材の表面に接着剤を設けるステップと、（ｃ）前記第１および第２基材の前記表面を互いに合わせて接着するステップと、を含む方法。
【請求項４】  請求項３に記載の方法に従って作製した物品。
【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】  医療ケア器具の表面に所定濃度、所定流量のオゾン化した水を所定時間流す医療ケア器具の殺菌のための方法であって、その器具から離れ去っていく水に含まれるオゾンの濃度を監視し、その器具から離れ去っていく水のオゾン濃度がその器具に供給される水のオゾン濃度と実質的に等しくなったときにオゾン化水を流すのを終了する、ことを特徴とする方法。
【請求項２】  請求項１記載の方法であって、前記器具は、オゾン化した水により殺菌される前に手作業で洗浄されることを特徴とする方法。
【請求項３】  請求項１または２に記載の方法であって、前記オゾン化した水の濃度は少なくとも５ｐｐｍであり、１５ｐｐｍを超えないことを特徴とする方法。
【請求項４】  請求項３に記載の方法であって、前記オゾン化した水は１５ｐｐｍの濃度を持つことを特徴とする方法。
【請求項５】  請求項３又は４に記載の方法であって、前記器具の表面上を流れるオゾン化した水の流量が、毎分約２．２リットルであることを特徴とする方法。
【請求項６】  請求項１〜５のいずれか１つに記載の方法であって、前記器具は１以上の内部チャンネルを有し、前記オゾン化した水は、その器具の外側の表面と前記内部チャンネルとに沿って流されることを特徴とする方法。
【請求項７】  請求項１〜６のいずれか１つに記載の方法であって、前記器具は１以上の内部チャンネルを有する内視鏡であり、前記オゾン化した水はその内部チャンネルに流されることを特徴とする方法。
【請求項８】  請求項１〜７のいずれか１つに記載の方法であって、前記器具には、前記殺菌処理に続いて、水の中で最後のすすぎが行われることを特徴とする方法。
【手続補正書】
【提出日】平成15年5月1日(2003.5.1)
【手続補正１】
【補正対象書類名】明細書
【補正対象項目名】特許請求の範囲
【補正方法】変更
【補正の内容】
【特許請求の範囲】
【請求項１】
インターネットサイトのカテゴリへのユーザアクセスを制御するシステムであって、
インターネットサイトのカテゴリ化されたデータベースと、
ユーザから要求されたインターネットサイトを読み取り、前記要求されたインターネットサイトに関連するカテゴリを判定するように構成された第１モジュールと、
前記カテゴリが前記ユーザに対して制限されているかどうかを判定し、前記カテゴリが第１の制限されているグループ内にある場合には、前記カテゴリに基づく所定のオプションを実施し、前記カテゴリが第２の制限されているグループ内にある場合には、前記要求されたインターネットサイトへのアクセスをブロックし、前記カテゴリが制限されていない場合に、前記要求されたインターネットサイトへのアクセスを許可するように構成された第２モジュールと
を含むシステム。
【請求項２】
前記所定のオプションが、ユーザが前記カテゴリ内のインターネットサイトで事前にセットされた時間を費やしたかどうかを判定することと、該判定に対応して、前記ユーザの前記インターネットサイトへのそれ以上のアクセスをブロックすることとである、請求項１に記載のシステム。
【請求項３】
前記所定のオプションが、ユーザが前記カテゴリ内のインターネットサイトへの延期されたアクセスを要求するかどうかを判定することと、該判定に対応して、前記要求されたインターネットサイトからのページをストレージに保存することとである請求項１に記載のシステム。
【請求項４】
前記ストレージが、ハードディスクである請求項３に記載のシステム。
【請求項５】
前記所定のオプションが、所定の時間の後に、前記ユーザに前記ストレージに保存された前記ページへのアクセスを提供することである、請求項３に記載のシステム。
【請求項６】
前記所定のオプションが、ユーザが前記カテゴリ内の他のインターネットサイトを所定の回数だけ要求したかどうかを判定することと、該判定に対応して、前記ユーザの前記インターネットサイトへのそれ以上のアクセスをブロックすることととである、請求項１に記載のシステム。
【請求項７】
前記所定のオプションが、ユーザが前記カテゴリ内のインターネットサイトにアクセスしたかどうかを判定することと、その後、前記ユーザに、すべてのインターネットアクセスがログファイルに保存されることを通知することとである、請求項１に記載のシステム。
【請求項８】
前記カテゴリ化されたデータベースが、前記ユーザのコンピュータシステムに保存される、請求項１に記載のシステム。
【請求項９】
前記カテゴリ化されたデータベースが、前記ユーザのコンピュータシステムにリンクされたインターネットサービスプロバイダのコンピュータに保存される、請求項１に記載のシステム。
【請求項１０】
前記第１モジュールが、前記ユーザによって要求されたユニバーサルリソースロケータ（ＵＲＬ）アドレスを読み取るように構成されている、請求項１に記載のシステム。
【請求項１１】
前記カテゴリが、アダルトエンターテイメント、エンターテイメント、スポーツ、政治、宗教、ショッピングおよび旅行からなるグループから選択されるものである、請求項１に記載のシステム。
【請求項１２】
インターネットサイトのカテゴリへのユーザアクセスを制御する方法であって、
インターネットサイトのカテゴリ化されたデータベースを設けることと、
ユーザから要求されたインターネットサイトを読み取ることと、
前記要求されたインターネットサイトに関連するカテゴリを判定することと、
該カテゴリが前記ユーザに対して第１の制限されているグループ内にあるかどうかを判定することと、
前記第１の制限されているグループ内にある場合には、前記カテゴリに基づいて所定のオプションを実施することと、
前記カテゴリが前記ユーザの第２の制限されているグループ内にあるかどうかを判定することと、
前記第２の制限されるグループ内にある場合には、前記要求されたインターネットサイトへのアクセスをブロックすることと、
前記第１の制限されているグループおよび前記第２の制限されているグループ内にない場合に、前記要求されたインターネットサイトへのアクセスを許可することと
を含む方法。
【請求項１３】
前記所定のオプションが、ユーザが前記カテゴリ内のインターネットサイトで事前にセットされた時間を費やしたかどうかを判定することと、該判定に対応して、前記ユーザの前記サイトへのそれ以上のアクセスをブロックすることとである、請求項１２に記載の方法。
【請求項１４】
前記所定のオプションが、ユーザが前記カテゴリ内のインターネットサイトへの延期されたアクセスを要求するかどうかを判定することと、該判定に対応して、前記要求されたインターネットサイトからのページをストレージに保存することとである、請求項１２に記載の方法。
【請求項１５】
前記ストレージが、ハードディスクである請求項１４に記載の方法。
【請求項１６】
前記所定のオプションが、所定の時間の後に、前記ストレージに保存された前記ページへのアクセスを前記ユーザに提供することである、請求項１４に記載の方法。
【請求項１７】
前記所定のオプションが、ユーザが前記カテゴリ内の他のインターネットサイトを所定の回数だけ要求したかどうかを判定することと、該判定に対応して、前記ユーザの前記サイトへのそれ以上のアクセスをブロックすることととである、請求項１２に記載の方法。
【請求項１８】
前記所定のオプションが、ユーザが前記カテゴリ内のインターネットサイトにアクセスしたかどうかを判定することと、その後、前記ユーザに、すべてのインターネットアクセスがログファイルに保存されることを通知することとである、請求項１２に記載の方法。
【請求項１９】
前記カテゴリ化されたデータベースが、前記ユーザのコンピュータシステムに保存される、請求項１２に記載の方法。
【請求項２０】
前記カテゴリ化されたデータベースが、前記ユーザのコンピュータシステムにリンクされたインターネットサービスプロバイダのコンピュータに保存される、請求項１２に記載の方法。
【請求項２１】
前記第１モジュールが、前記ユーザによって要求されたユニバーサルリソースロケータ（ＵＲＬ）アドレスを読み取るように構成されている、請求項１２に記載の方法。
【請求項２２】
前記カテゴリが、アダルトエンターテイメント、エンターテイメント、スポーツ、政治、宗教、ショッピングおよび旅行からなるグループから選択されるものである、請求項１２に記載の方法。
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】  人工膝であって、
前記人工膝の軸を中心に回転可能な複数のロータと、
前記ロータと交互に分散配置され、該ロータとの間にギャップを形成する複数のステータと、
印加磁界に応答してレオロジーの変化を受けるように適合されている流体であって、前記ロータと前記ステータとの間に形成される前記ギャップ内に収められる流体とを備え、
前記磁界の制御された変化が、膝回転時の前記ロータとステータとの間の相対的回転により引き起こされる前記流体の流体レオロジー及び剪断を変化させ、可変膝トルクを発生する人工膝。
【請求項２】  前記ステータが前記人工膝の軸を中心に回転可能である請求項１に記載の人工膝。
【請求項３】  前記ロータおよび前記ステータの少なくとも１つが前記人工膝の軸を中心に横方向に変位可能で、隣接するロータとステータとの間の機械的接触を引き起こしトルクに摩擦成分を供給する請求項１に記載の人工膝。
【請求項４】  前記ロータ及び前記ステータが、軟磁性材料を備えた請求項１に記載の人工膝。
【請求項５】  前記ロータ及び前記ステータが、略環状のディスクを備えた請求項１に記載の人工膝。
【請求項６】  前記ロータ及び前記ステータの厚さが、約０．２ｍｍ（０．００８インチ）である請求項５に記載の人工膝。
【請求項７】  前記複数のロータが１００個以下のロータを備え、前記複数のステータが１００個以下のステータを備える請求項１に記載の人工膝。
【請求項８】  前記複数のロータが４０個のロータを備え、前記複数のステータが４１個のステータを備える請求項７に記載の人工膝。
【請求項９】  前記ロータと前記ステータとの間の前記ギャップのサイズが、約１０ミクロン（μｍ）から約１００ミクロン（μｍ）までである請求項１に記載の人工膝。
【請求項１０】  前記ロータと前記ステータとの間の前記ギャップのサイズが、約４０ミクロン（μｍ）である請求項９に記載の人工膝。
【請求項１１】  前記ロータ及び前記ステータが、略円柱状の管を備えている請求項１に記載の人工膝。
【請求項１２】  前記ロータ及び前記ステータが、青鍛鋼またはシリコン鋼を含む請求項１に記載の人工膝。
【請求項１３】  前記流体が、磁気制御可能媒体を備える請求項１に記載の人工膝。
【請求項１４】  前記流体が、前記磁界の変化に応じて粘性変化を受けるように適合された磁気レオロジー流体を備える請求項１に記載の人工膝。
【請求項１５】  前記ロータ、前記ステータ、及び前記流体を通る前記磁界を発生する磁石をさらに備える請求項１に記載の人工膝。
【請求項１６】  一対の側板と機械的に連結したほぼ中央にあるコアをさらに備え、前記磁界の磁気戻り通路を形成する請求項１に記載の人工膝。
【請求項１７】  前記コア及び前記側板が、鉄コバルト（ＦｅＣｏ）高磁気飽和合金を含む請求項１６に記載の人工膝。
【請求項１８】  前記側板の少なくとも１つが、前記人工膝の軸を中心に横方向に変位可能である請求項１６に記載の人工膝。
【請求項１９】  磁気戻り通路をなすように軟磁性材料で形成され実質的に中央にあるコア及び一対の側板と、
前記コアと前記ロータと前記ステータとの間に置かれた電磁石であって、電気信号に応答して前記磁界を発生し、前記流体のレオロジーの変化を制御する電磁石と
をさらに備える請求項１に記載の人工膝。
【請求項２０】  回転可能な内側スプラインをさらに備え、前記ロータが前記内側スプラインと係合する請求項１に記載の人工膝。
【請求項２１】  前記内側スプラインが複数の溝を備えており、前記ロータのそれぞれが前記内側スプラインの前記溝と係合する複数の歯を備える請求項２０に記載の人工膝。
【請求項２２】  前記内側スプラインが、チタン合金を含む請求項２０に記載の人工膝。
【請求項２３】  前記内側スプラインと回転自在に連絡する一対のベアリングをさらに備える請求項２０に記載の人工膝。
【請求項２４】  一対の回転可能な側面取り付けフォークをさらに備え、それぞれが前記ベアリングの１つと機械的に連絡しており、前記人工膝と補綴向こう脛との接続を容易にする請求項２３に記載の人工膝。
【請求項２５】  外側スプラインをさらに備え、前記ステータが当該外側スプラインと係合する請求項１に記載の人工膝。
【請求項２６】  前記外側スプラインが複数の溝を備え、前記ステータのそれぞれが前記外側スプラインの前記溝と係合する複数の歯を備える請求項２５に記載の人工膝。
【請求項２７】  前記外側スプラインが、陽極酸化アルミ合金を含む請求項２５に記載の人工膝。
【請求項２８】  前記外側スプラインが、ピラミッド型のスタブを備え、前記人工膝の残りの肢ソケットへの接続を容易にする請求項２５に記載の人工膝。
【請求項２９】  磁気外側部分と一対の機械的に接続された磁気側板とをさらに備え、前記磁界の磁気戻り通路を作る請求項１に記載の人工膝。
【請求項３０】  クッション付きの屈曲停止システムをさらに備え、前記人工膝の最大屈曲を制御する請求項１に記載の人工膝。
【請求項３１】  クッション付きの伸展停止システムをさらに備え、前記人工膝の最大伸展を制御する請求項１に記載の人工膝。
【請求項３２】  伸展支援装置をさらに備え、前記人工膝の伸展を容易にする請求項１に記載の人工膝。
【請求項３３】  コントローラをさらに備え、前記人工膝の作動を制御し監視する請求項１に記載の人工膝。
【請求項３４】  補綴アセンブリであって、
請求項１に記載の人工膝と、
前記人工膝と機械的に連絡し、肢切断患者の残りの肢を受け止めるよう適合されている義足ソケットと、
前記人工膝と機械的に連絡している補綴向こう脛部と、
前記補綴向こう脛部位と機械的に連絡している補綴足と
を備えた補綴アセンブリ。
【請求項３５】  交互に分散されて並べられる複数のロータと、ステータと、前記ロータと前記ステータとの間に形成される複数のギャップ内に存在する磁気レオロジー流体とを備えた人工膝の回転を制御する方法であって、
前記ロータ、前記ステータ、および前記磁気レオロジー流体を通る磁界を印加するステップと、
前記ロータと前記ステータとの間に形成される前記ギャップ内に存在する磁気レオロジー流体を剪断して、前記人工膝の回転を粘性ダンピングさせるステップと、
前記磁界を調整して、前記磁気レオロジー流体の粘性を変化させることで、可変抵抗を発生させ、前記人工膝の回転を制御するステップと
を備える方法。
【請求項３６】  前記磁界を印加して前記ロータと前記ステータとの間の引力を発生させ、隣接するロータとステータとの間に摩擦接触を引き起こし、摩擦で前記人工膝の回転をダンピングさせるステップをさらに備える請求項３５に記載の方法。
【請求項３７】  前記磁界を調整し、隣接するロータとステータとの間の引力を変化させるステップをさらに備える請求項３６に記載の方法。
【手続補正書】
【提出日】平成16年2月12日(2004.2.12)
【手続補正１】
【補正対象書類名】特許請求の範囲
【補正対象項目名】全文
【補正方法】変更
【補正の内容】
【特許請求の範囲】
【請求項１】
熱交換手段に対し給水を供給するため配置された給水手段と、熱交換手段内の給水を加熱するための熱交換手段に、高温流体の流れを供給するため配置された熱発生機関と、加熱水を蒸発させるため熱交換手段から加熱給水を受け取るため配置された瞬間水蒸発器と、蒸発器内の加熱された給水から生成された蒸気を受け取って、その蒸気を水に変換する復水器とを備えた水蒸留システムにおいて、
熱発生機関が、高温流体の流れを気体の形で熱交換器に対し供給するため配置されたジェットエンジンであり、瞬間水蒸発器内に部分真空を作るため気体流が導入されるよう配置された抽気手段を追加して備えること、を特徴とするシステム。
【請求項２】
内部の水を所定の流量で再循環させることにより、熱交換手段内の圧力を増加するため配置された水再循環手段をさらに備えること、を特徴とする請求項１に記載のシステム。
【請求項３】
熱交換手段が、前記機関に対する下流に配置された第１熱交換器と、前記第１熱交換器に対して下流に配置され、高温流体から残留熱を受ける第２熱交換器と、第１熱交換器から顕熱および潜熱の抽出を増加するために、第１熱交換器内の供給圧を増加する配置となっているポンプとを含む水再循環手段と、を備えることを特徴とする請求項２に記載のシステム。
【請求項４】
比較的高温の第１熱交換器とポンプとを使用して、水を高速で高温熱交換器を通じて再循環する前に、第２熱交換器を使用して給水を予熱し、水の温度上昇が水の各経路において２℃以下であることを確実にし、それにより熱交換器内の固体層堆積をいずれも軽減すること、を特徴とする請求項３に記載のシステム。
【請求項５】
流入給水が第１熱交換器に入る前に、予熱のため第２熱交換器に向かい、流入給水に対する熱伝達がなされる間に、第２熱交換器内で流入給水が水蒸気を冷却し復水するため使用されること、を特徴とする請求項３又は４に記載のシステム。
【請求項６】
ジェットエンジンが、燃料ガスの形の高温流体の流れのため再生加熱経路を有する燃料ガスバーナーであること、を特徴とする請求項１乃至５のいずれか１つに記載のシステム。
【請求項７】
熱交換手段が、ダクトを横切って配置された多数のフィン付き炭素鋼管を備えた分離管路を備え、高温流体の流れがダクトに流入する配置となっており、給水がその管を通って流れる配置となっていること、を特徴とする請求項１乃至６のいずれか１つに記載のシステム。
【請求項８】
加熱給水の蒸発により生じる固体を、いずれも蒸発器から搬送するため、蒸発器と一体になった固体搬送手段をさらに備えること、を特徴とする請求項１乃至７のいずれか１つに記載のシステム。
【請求項９】
搬送手段が、蒸発器における真空状態を維持するため、断続的に動作する配置となっていること、を特徴とする請求項８に記載のシステム。
【請求項１０】
搬送手段が、乾燥空気の向流を伴う回転チャンバを備えること、を特徴とする請求項８又は９に記載のシステム。
【請求項１１】
搬送手段が、円筒内のペーストから水を絞り出す脱水スクリューを円筒内に備えること、を特徴とする請求項８又は９に記載のシステム。
【請求項１２】
機関が、採鉱作業からのメタンを含む炭化水素ガス、又はエチレン若しくは液体炭化水素を含むパイプラインガス、又は電気分解水からの水素を消費するのに適していること、を特徴とする請求項１乃至１１のいずれか１つに記載のシステム。
【請求項１３】
水の温度と、流量と圧力とを動的に制御するため配置されたポンプと制御手段とを用いて、給水が熱交換手段に引き込まれること、を特徴とする請求項１乃至１２のいずれか１つに記載のシステム。
【請求項１４】
ジェットエンジンが、バイパス空気の割合が大きいターボファン型ガスタービンジェットエンジンであり、ジェットエンジンからの高温排気が、管路を横切って配置された多数のフィン付き炭素鋼管を有する熱交換手段を備える分離管路を通る方向に向けられ、システムは、排気ガス（＞６５０℃）が熱交換手段を通り、海水又はその他の水源の形の管内の給水が加圧されて、給水の所定沸点よりも高い所定温度まで熱せられ、加熱水が次いでノズルを通じて、給水が６０℃で瞬時に沸騰することの出来る真空圧に保たれた瞬間蒸発チャンバの形の蒸発器中に、解放される配置となっていること、を特徴とする請求項１に記載のシステム。
【手続補正書】
【提出日】平成15年5月7日(2003.5.7)
【手続補正１】
【補正対象書類名】明細書
【補正対象項目名】特許請求の範囲
【補正方法】変更
【補正の内容】
【特許請求の範囲】
【請求項１】
毛髪の束を捩り合わせるためのヘアスタイリング装置であって、
本体と、
前記本体に対して回転運動可能に装着されている回転体と、
前記回転体に対する回転運動のため、前記回転体によって支持されており、各毛髪捩り部材が、１つ以上の毛髪の束を把持するように構成されている毛髪把持部材を備えている、少なくとも２つの毛髪捩り部材と、
軸を第１方向及び第２方向に直接回転させ、前記回転体に対して前記毛髪捩り部材を前記第１方向に回転させて捩り毛束を形成し、前記回転体に対して前記毛髪捩り部材を、前記とは逆方向の第２方向に回転させて、前記本体に対して前記回転体を前記第２方向に回転させ、それによって各捩り毛束を綯って1つの毛髪の索を形成するよう構成されている可逆モータと、
を備えるヘアスタイリング装置。
【請求項２】
前記各毛髪捩り部材の前記毛髪把持部材が、解放位置と把持位置との間で変位可能なフックを備えている請求項１に記載の装置。
【請求項３】
前記フックが、前記毛髪捩り部材に設けた長穴の中に陥入されている請求項１に記載の装置。
【請求項４】
前記解放位置から前記把持位置まで前記フックを引き込むよう動作する引込み部材をさらに備えている請求項２または請求項３に記載の装置。
【請求項５】
前記引込み部材が、バネから構成されている請求項４に記載の装置。
【請求項６】
前記毛髪捩り部材が、同期的に回転する請求項１ないし請求項６のいずれか一項に記載の装置。
【請求項７】
前記軸に連結されている主歯車と、前記毛髪捩り部材の各々に連結されている把持部材用歯車と、をさらに備え、
前記軸の回転により前記主歯車に運動が与えられ、前記主歯車の回転が前記把持部材用歯車の各々に運動を与え、前記各把持部材用歯車の運動によって前記毛髪捩り部材を回転させるように構成されている請求項１ないし請求項６のいずれか一項に記載の装置。
【請求項８】
前記主歯車と各把持部材用歯車との間に配置される遊び歯車をさらに含んでなり、前記主歯車の回転が、各遊び歯車に運動を与え、各遊び歯車の回転が、前記各把持部材用歯車にそれぞれ運動を与える請求項７に記載の装置。
【請求項９】
前記回転体と前記主歯車との間に配置される歯車クラッチをさらに含んでなり、前記歯車クラッチが咬合する時、前記回転体に関する前記主歯車の回転を阻止する請求項７に記載の装置。
【請求項１０】
前記モータが、本体に関して前記回転体を第２方向に回転させている間、前記歯車クラッチが咬合しており、それによって前記毛髪捩り部材は、前記回転体が回転する場合に、前記回転体に関して実質的に静止状態であり続けるように構成されている請求項９に記載の装置。
【請求項１１】
前記回転クラッチが咬合している時、前記回転体の回転を阻止するよう、前記本体と前記回転体との間に配置されている回転体クラッチと、
前記回転体内に配置されている歯車クラッチと、をさらに備え、
前記歯車クラッチは、咬合している時、前記回転体に関する毛髪捩り部材の回転を阻止するように配置されてなり、
前記可逆モータは、前記回転体クラッチが咬合している間、前記軸を直接、前記第１方向に駆動させ、それぞれの捩り毛束を形成し、前記歯車クラッチが咬合している間、前記軸を前記第２方向、即ち逆方向に回転させ、各捩り毛束を綯って１つの毛髪の索を形成するように構成されている請求項１ないし請求項６のいずれか一項に記載の装置。
【請求項１２】
前記軸に連結されている主歯車と、前記毛髪捩り部材の各々に連結されている把持部材用歯車と、をさらに備え、前記回転体クラッチが咬合している時、前記軸の第１方向への回転が前記主歯車に運動を与え、前記主歯車の回転が、前記把持部材用歯車の各々に運動を与え、前記各把持部材用歯車の運動によって前記毛髪捩り部材を回転させるように構成されている請求項１１に記載の装置。
【請求項１３】
前記主歯車と各把持部材用歯車との間に配置される遊び歯車をさらに含んでなり、前記主歯車の回転が、各遊び歯車に運動を与え、各遊び歯車の回転が、前記各把持部材用歯車にそれぞれ運動を与える請求項１２に記載の装置。
【請求項１４】
毛髪の束を捩り合わせるためのヘアスタイリング装置であって、
ハンドルと、
前記ハンドルから突き出している回転可能な軸と、
別個の毛髪の束をそれぞれ保持するための少なくとも２つの毛髪捩り部材であって、前記各毛髪捩り部材が、第１方向に前記それぞれの毛髪の束を回転させ、捩り毛束を形成するために、前記回転可能な軸に結合されている、少なくとも2つの毛髪捩り部材と、
前記少なくとも２つの毛髪捩り部材の各々に連結されている回転体であって、前記軸に連結され、前記ハンドルに関して前記第１方向とは反対の第２方向に回転可能である回転体と、
前記軸に装着されているリールと、
前記リール上で少なくとも部分的に巻回されているコードと、
前記軸に連結されている第１の部分を有する弾性ループと、
を備え、
前記毛髪捩り部材の第１方向への回転が、前記弾性ループにエネルギーを蓄積し、前記弾性ループからのエネルギーの放出により、前記第２方向に前記回転体を回転させ、それにより、前記回転体の回転が前記捩り毛束を綯って１つの毛髪の索を形成するように構成されているヘアスタイリング装置。
【請求項１５】
前記各毛髪捩り部材の前記毛髪把持部材が、解放位置と把持位置との間に変位可能なフックを備えている請求項１４に記載の装置。
【請求項１６】
前記解放位置から前記把持位置へ前記フックを引き込むよう動作する引込み部材をさらに備えている請求項１５に記載の装置。
【請求項１７】
前記軸に連結されている主歯車と前記毛髪捩り部材の各々に連結されている把持部材用歯車とをさらに備え、前記軸の回転により前記主歯車に運動が与えられ、前記主歯車の回転が前記把持用歯車の各々に運動を与え、前記各把持用歯車の運動によって前記毛髪捩り部材を回転させるように構成されている請求項１４ないし請求項１６のいずれか一項に記載の装置。
【請求項１８】
前記回転体と前記主歯車との間に配置されている歯車クラッチをさらに備え、当該歯車クラッチは、該歯車クラッチが咬合している時、前記回転体に関する前記主歯車の回転を阻止するために配置されている請求項１７に記載の装置。
【請求項１９】
前記モータが、本体に関して前記回転体を前記第２方向に回転させている間、前記歯車クラッチが咬合しており、それによって、前記毛髪捩り部材は、前記回転体が回転する際に、前記回転体に関して実質的に静止状態であり続ける請求項１８に記載の装置。
【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】  術後の癒着の可能性を低減するために使用する薬剤の製造における、乾燥粉末の形態であり、かつホスファジチルコリン及び展着剤を含む表面活性リン脂質組成物（ＳＡＰＬ組成物）の使用。
【請求項２】  展着剤が、ホスファチジルグリセロール（ＰＧ）である請求項１に記載の使用。
【請求項３】  ホスファチジルコリンが、ジパルミトイルホスファチジルコリン（ＤＰＰＣ）である請求項１又は２に記載の使用。
【請求項４】  ＳＡＰＬ組成物が、ＤＰＰＣ：ＰＧの重量比が１：９〜９：１の混合物を含む請求項３に記載の使用。
【請求項５】  ＤＰＰＣ：ＰＧの重量比が、６：４〜８：２である請求項３に記載の使用。
【請求項６】  ＳＡＰＬ組成物が、組成物の粒子を乾燥粉末大気分散体として投薬するために発射薬と連携するものである請求項１から５のいずれかに記載の使用。
【請求項７】  発射薬が、ヒドロフルオロアルカンである請求項６に記載の使用。
【請求項８】  ＳＡＰＬ組成物が、0.5〜20μｍの粒子サイズを有する請求項１から７のいずれかに記載の使用。
【請求項９】  術後の癒着の可能性を低減するために使用する、乾燥粉末の形態であり、かつホスファチジルコリン及び展着剤を含む表面活性リン脂質組成物（ＳＡＰＬ組成物）。
【手続補正書】
【提出日】平成16年4月5日(2004.4.5)
【手続補正１】
【補正対象書類名】明細書
【補正対象項目名】特許請求の範囲
【補正方法】変更
【補正の内容】
【特許請求の範囲】
【請求項１】  局所適用の表面との接触を持続することが可能な柔軟で限定されたシステムにおけるメチルフェニデートを含む、メチルフェニデートを局所適用するための組成物であって、組成物が天然又は合成ポリマーを含み、かつ少なくとも１０時間にわたってメチルフェニデートを必要とする患者の皮膚又は粘膜にそれを送達する場合に一定状態における平均から４０％を越えて変化しないメチルフェニデートの血中値を生じるキネティックスを達成するのに十分な量でメチルフェニデートが存在し、かつ組成物がポリマーの質量当たり５質量％を越えない酸官能性モノマーを含む、組成物。
【請求項２】  アクリル系、天然及び合成ゴム類、生体粘着剤、ポリシロキサン類、ポリアクリレート類、ポリビニルピロリドン類、ビニルピロリドンコポリマー、スチレンブロックポリマー及びそれらの混合物から成る群から選択する粘着剤をさらに含む、請求項１の組成物。
【請求項３】  粘着剤がキャップドポリシロキサン、アミン−相溶性ポリシロキサンポリマー、非官能性又は最小限官能性なアクリルポリマー、又は酢酸ビニルを含まないポリアクリレートポリマーを含む、請求項１の組成物。
【請求項４】  皮膚又は粘膜に対する送達速度が約１２〜約２０時間、好ましくは約１４〜約１６時間にわたっている、請求項１の組成物。
【請求項５】  メチルフェニデートが塩基型でありかつ約１０cm2当たり少なくとも２６．4mgの量で組成物に存在する、請求項１の組成物。
【請求項６】  柔軟で限定されたシステムにおいてメチルフェニデートを含む、メチルフェニデートを局所適用するための組成物であって、２４時間の全期間にわたって患者に治療上有効な投与量を可能とするのに充分な量でメチルフェニデートが存在し、メチルフェニデートの全送達量が約０．５mg〜約１００mg、好ましくは約２．５mg〜約２０mgであり、組成物が約１〜５質量％を越えない酸官能性モノマーを含む、組成物。
【請求項７】  治療上有効な投与量が約０．０５mg／kg／日〜約１．０mg／kg／日、好ましくは約０．０７５mg／kg／日〜約０．３mg／kg／日である、請求項６の組成物。
【請求項８】  柔軟で限定されたシステムにおけるメチルフェニデートを局所投与することを含む、注意欠乏障害及び注意欠乏／活動亢進障害を治療する方法であって、少なくとも１０時間にわたって、メチルフェニデートを必要とする患者の皮膚又は粘膜への送達を実質的にゼロ−次のキネティックスで達成するのに充分な量でメチルフェニデートが存在し、組成物が約１〜５質量％を越えない酸官能性モノマーを含む、方法。
【請求項９】  柔軟で限定されたシステムにおけるメチルフェニデートを局所投与することを含む、注意欠乏障害及び注意欠乏／活動亢進障害を治療する方法であって、２４時間の全期間にわたって患者に治療上有効な投与量を可能とするのに充分な量でメチルフェニデートが存在し、メチルフェニデートの全送達量が約０．５mg〜約１００mg、好ましくは約２．５mg〜約２０mgであり、組成物が約１〜５質量％を越えない酸官能性モノマーを含む、方法。
【請求項１０】  少なくとも５μg／cm2／時間の流束を提供して少なくとも１０時間メチルフェニデートの治療血中値を達成するのに充分な量でメチルフェニデート又はその調剤上受容可能な塩を含む、メチルフェニデートの経皮送達組成物。
【請求項１１】  少なくとも１０時間少なくとも５μg／cm2／時間の流束で２４時間患者に少なくとも０．５mgの投与量を提供するのに充分な量でメチルフェニデート又はその調剤上受容可能な塩を含む、メチルフェニデートの経皮送達組成物。
【請求項１２】  メチルフェニデートが子供に対して治療上有効な量で存在する、請求項１１に記載の組成物。
【請求項１３】  柔軟で限定されたシステムにおいてメチルフェニデート及び調剤上受容可能な粘着剤担体を含むメチルフェニデートの局所適用組成物であって、
(i) 少なくとも１０時間にわたって、メチルフェニデートを必要とする患者の皮膚又は粘膜への送達を実質的にゼロ−次のキネティックスで達成するのに充分な量でメチルフェニデートが存在し、
(ii) メチルフェニデート：シリコーン粘着剤：アクリル系粘着剤の比率（乾燥質量％）がそれぞれ約５〜３０：０〜７０：０〜７０であり、かつ
(iii) 組成物が製造時にリタリン酸を実質的に含まない、
組成物。
【請求項１４】  柔軟で限定されたシステムにおけるメチルフェニデートを局所投与することを含む、注意欠乏障害及び注意欠乏／活動亢進障害を治療する方法であって、
(i) 少なくとも１０時間にわたって、メチルフェニデートを必要とする患者の皮膚又は粘膜への送達を実質的にゼロ−次のキネティックスで達成するのに充分な量でメチルフェニデートが存在し、
(ii) メチルフェニデート：シリコーン粘着剤：アクリル系粘着剤の比率（乾燥質量％）がそれぞれ約５〜３０：０〜７０：０〜７０であり、かつ
(iii) 組成物が製造時にリタリン酸を実質的に含まない、
方法。
【請求項１５】  柔軟で限定されたシステムにおいてメチルフェニデート及び調剤上受容可能な粘着剤担体を含むメチルフェニデートの局所適用組成物であって、
(i) 少なくとも１０時間にわたって、メチルフェニデートを必要とする患者の皮膚又は粘膜への送達を実質的にゼロ−次のキネティックスで達成するのに充分な量でメチルフェニデートが存在し、
(ii) 実質的に結晶を含まないメチルフェニデートが治療上有効な量で存在し、かつ
(iii) 組成物が製造時にリタリン酸を実質的に含まない、
組成物。
【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
ネットワーク媒体から入力信号を受け取る入力デバイスと、
前記ネットワーク媒体からの電気的絶縁を提供する電気的絶縁手段と、
基準信号との比較に応答して、前記入力信号が有効な信号であるか否かを選択的に指示するネットワーク信号検出手段と、
を具備する装置。
【請求項２】
前記基準信号を提供する基準信号源を更に備える、請求項１記載の装置。
【請求項３】
前記ネットワーク信号検出手段が、前記入力信号を前記基準信号と比較し、その比較の結果を指示する論理回路を備える、請求項２記載の装置。
【請求項４】
前記入力信号が、第１の信号と第２の信号とを含み、
前記ネットワーク信号検出手段が、第１のコンパレータと第２のコンパレータとを含み、
前記第１のコンパレータが、前記第１の信号を前記基準信号と比較して前記第１のコンパレータの出力端子に比較を提供する論理回路を備え、
前記第２のコンパレータが、前記第２の信号を前記基準信号と比較して前記第２のコンパレータの出力端子に比較を提供する論理回路を備え、
前記第１のコンパレータと前記第２のコンパレータとが、出力端子が共に結合されたオープン・ドレイン型コンパレータを備える、
請求項１記載の装置。
【請求項５】
前記ネットワーク媒体が、正信号導線と負信号導線とを備え、
前記ネットワーク信号検出手段が、前記正信号導線及び前記負信号導線の接続方向に無関係に、前記入力信号を前記基準信号と比較する、
請求項１記載の装置。
【請求項６】
前記入力信号が有効なネットワーク信号であることを前記ネットワーク信号検出手段が指示することに応答して、前記入力信号が有効なネットワーク信号であるときを選択的に知らせる出力整形装置を更に備える、請求項１記載の装置。
【請求項７】
ネットワーク媒体から入力信号を受信するステップと、
前記ネットワーク媒体からの電気的絶縁を提供するステップと、
前記入力信号を所定の基準と比較するステップと、
前記入力信号と前記所定の基準との比較に応答して、前記入力信号が有効なネットワーク信号であるときを選択的に知らせるステップと、
を備える方法。
【請求項８】
前記所定の基準が基準電圧を含む、請求項７記載の方法。
【請求項９】
受信する前記ステップが、前記ネットワーク媒体に大きな負荷をかけることなく前記ネットワーク媒体への接続を行う、請求項７記載の方法。
【請求項１０】
前記入力信号が差動信号である、請求項７記載の方法。
【請求項１１】
ＭＡＣ処理動作を実行する媒体アクセス・コントローラ、及び、該媒体アクセス・コントローラとネットワーク媒体との間のインターフェースを行う媒体アタッチメント・ユニットを備えるシステムであって、
前記媒体アタッチメント・ユニットが、
前記ネットワーク媒体から入力信号を受け取る入力デバイスと、
前記ネットワーク媒体からの電気的絶縁を提供する電気的絶縁装置と、
基準信号との比較に応答して、前記入力信号が有効な信号であるか否かを選択的に指示するネットワーク信号検出装置と、
を具備するシステム。
【請求項１２】
前記媒体アタッチメント・ユニットがイーサネットにしたがって前記ネットワーク媒体から信号を受信する、請求項１１記載のシステム。
【請求項１３】
前記媒体アタッチメント・ユニットがＰＣＭＣＩＡにしたがって前記ネットワーク媒体から信号を受信する、請求項１１記載のシステム。
【請求項１４】
前記媒体アタッチメント・ユニットがＩＳＡにしたがって前記ネットワーク媒体から信号を受信する、請求項１１記載のシステム。
【請求項１５】
前記媒体アタッチメント・ユニットがＲＳ−２３２にしたがって前記ネットワーク媒体から信号を受信する、請求項１１記載のシステム。
【請求項１６】
前記媒体アタッチメント・ユニットがＰＣＩにしたがって前記ネットワーク媒体から信号を受信する、請求項１１記載のシステム。
【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】  磁気テープのフレーム上に書き込まれたサーボパターンにおいて、上記フレームは所定領域を上記テープ上に持ち、
上記サーボパターンは、
上記所定領域の第一部分上に書き込まれた第一周波数を持つ第一信号、
上記所定領域の第二部分上に書き込まれ、上記第一周波数から明確に異なる第二周波数を持つ第二信号、該第二信号は少なくとも三つのサーボトラックを画定するために該第二部分の選択された領域の上に所定のパターンで書き込まれ、および
少なくとも上記サーボトラックの二つと交差するように上記第一部分上に所定の形状で書き込まれ、上記第一周波数から明確に異なる第三周波数を持つ第三信号を有し、
サーボトラックを独特に特定するために情報を提供するように操作可能な第三信号の所定の形状はテープヘッドによって読み取られることを特徴とする、サーボパターン。
【請求項２】  上記第二周波数及び第三周波数は、消去周波数であることを特徴とする、請求項１記載の磁気テープのフレーム上に書き込まれたサーボパターン。
【請求項３】  上記第二信号の所定パターンはチェッカー盤パターン状の複数の矩形を含み、各矩形はテープヘッドに関して上記磁気テープに実質的に平行な二つの側部を持ち、矩形の該側部は上記サーボトラックを画定することを特徴とする、請求項１記載の磁気テープのフレーム上に書き込まれたサーボパターン。
【請求項４】  ある長さの磁気テープに沿った複数のデータストライプ、および
該ある長さの磁気テープに沿った複数のサーボストライプを有し、各サーボストライプは少なくとも上記データストライプの一つと実質的に平行で、かつそれと交互に配列し、
各ストライプは、
複数のフレーム、
各フレームの第一パターン上に書き込まれた第一周波数信号、
各フレームの第二パターン上に書き込まれ、上記第一周波数信号から明確に異なる第二周波数信号、該第二信号は少なくとも三つのサーボトラックを画定するために該第二部分の選択された領域の上に所定のパターンで書き込まれ、および
少なくとも上記サーボトラックの一つと交差するように上記第一部分上に所定の形状で書き込まれ、上記第一周波数から明確に異なる周波数を持つ第三信号を含み、
サーボトラックを独特に特定するために情報を提供するように操作可能な第三信号の所定の形状はテープヘッドによって読み取られることを特徴とする、ある長さの磁気テープ。
【請求項５】  上記第三信号は各サーボストライプ上で異なるサーボトラックと交差し、第二周波数及び第三周波数は、消去周波数であることを特徴とする、請求項４記載のある長さの磁気テープ。
【請求項６】  第二信号の上記所定パターンはチェッカー盤パターン状に配置された複数の矩形を含み、各矩形はテープヘッドに関して上記テープの移動方向に実質的に平行な二つの側部を持ち、矩形の該側部は上記サーボトラックを画定することを特徴とする、請求項４記載のある長さの磁気テープ。
【請求項７】  テープヘッドは少なくとも３個のサーボストライプを同時に読み取り、少なくとも３個のサーボストライプの何れか二つからの第三信号は、偶数番号または奇数番号トラックの何れが読み取られるかの表示によって考慮された時、テープヘッドによって読み取られるサーボトラックを独特に特定するために十分な情報を提供することを特徴とする、請求項４記載のある長さの磁気テープ。